(57)【要約】      （修正有）【課題】気に入った形の輪ゴムを家庭で作ることが出来る輪ゴムの成形器具セットを提供する。【解決手段】輪ゴム２を掛け渡して当該輪ゴム２に形状を与える複数の耐熱性の掛止ピン３と、前記掛止ピン３を着脱可能に嵌合すべき多数の嵌合穴４を有し前記掛止ピン３と共に熱湯に浸して加熱可能な耐熱性の成形用台座１と、前記成形用台座１に植え付けた前記掛止ピン３に掛け渡して熱湯に浸して加熱して成形可能な前記輪ゴム２とから輪ゴムの成形器具セットを形成する。【選択図】図１
0003171125.tif 000002
【実用新案登録請求の範囲】
【請求項１】
輪ゴムを掛け渡して熱湯で加熱し当該輪ゴムに形状を与える複数の耐熱性の掛止ピンと、前記掛止ピンを着脱可能に嵌合すべき多数の嵌合穴を有し前記掛止ピンと共に熱湯に浸して加熱可能な耐熱性の成形用台座と、前記成形用台座に植え付けた前記掛止ピンに掛け渡して熱湯に浸して加熱して成形可能な前記輪ゴムとからなる輪ゴムの成形器具セット。
【請求項２】
請求項１に記載の輪ゴムの成形器具セットにおいて、成形しようとする輪ゴムの形状に合わせて嵌合ボードに複数の掛止ピンの植え付け位置を指示する指示手段を有する輪ゴムの成形器具セット。
【請求項３】
請求項２に記載の輪ゴムの成形器具セットにおいて、指示手段が成形しようとする輪ゴムの形状の図形が描いてある形状パネルからなり、前記形状パネルには輪ゴムの形状に沿って複数の掛止ピンの植え付け位置を指示するピン孔が設けてあり、且つ、ピン孔を貫通して掛止ピンを嵌合ボードに植え付けた状態で形状パネルを掛止ピンから離脱可能に設けてある輪ゴムの成形器具セット。
【請求項４】
請求項１、２又は３に記載の輪ゴムの成形器具セットにおいて、嵌合ボードの一端部に嵌合孔に向かって起立した取っ手部分を設けてある輪ゴムの成形器具セット。
【請求項５】
請求項１乃至４のいずれかに記載の輪ゴムの成形器具セットにおいて、掛止ピンに平面部分を有する転がり止め部を設けてある輪ゴムの成形器具セット。
【請求項６】
請求項５に記載の輪ゴムの成形器具セットにおいて、掛止ピンの転がり止め部が角形頭部からなる輪ゴムの成形器具セット。
【考案の詳細な説明】
【技術分野】
【０００１】
本考案は、輪ゴムの成形器具セットに関する。
【背景技術】
【０００２】
従来、工場などで成形された輪ゴムは、特許文献１又は２に記載のように知られている。
【先行技術文献】
【特許文献】
【０００３】
【特許文献１】実用新案登録第３１４０４５４号公報
【特許文献２】実開昭６２-１８２２６２号公報
【考案の概要】
【考案が解決しようとする課題】
【０００４】
これら成形された輪ゴムは予め工場等において種々な形に製作されて市販される類の物であって、使用者は多数の形の異なる輪ゴムの中から適当に選んで買い求める必要があり、自分の気に入った物がない場合もある。自分で気に入った形の物を家庭で作ることが出来れば何より楽しく便利であり、子供に限らず大人も含めて自分で自由に工夫して輪ゴムを成形することができ、家族や友人達で楽しみながら豊かな創造性を養うこともできる。
【課題を解決するための手段】
【０００５】
そこで、本考案は、請求項１に記載の通り、輪ゴムを掛け渡して熱湯で加熱し当該輪ゴムに形状を与える複数の耐熱性の掛止ピンと、前記掛止ピンを着脱可能に嵌合すべき多数の嵌合穴を有し前記掛止ピンと共に熱湯に浸して加熱可能な耐熱性の成形用台座と、前記成形用台座に植え付けた前記掛止ピンに掛け渡して熱湯に浸して加熱して成形可能な前記輪ゴムとからなる輪ゴムの成形器具セットを提供するものである。
【０００６】
また、本考案は、請求項１に記載の輪ゴムの成形器具セットにおいて、成形しようとする輪ゴムの形状に合わせて成形用台座に複数の掛止ピンの植え付け位置を指示する指示手段を有する輪ゴムの成形器具セットを提供するものである。
【０００７】
また、本考案は、請求項２に記載の輪ゴムの成形器具セットにおいて、指示手段が成形しようとする輪ゴムの形状が描いてある形状パネルからなり、前記形状パネルには輪ゴムの形状に沿って複数の掛止ピンの植え付け位置を指示するピン孔が設けてあり、且つ、ピン孔を貫通して掛止ピンを成形用台座に植え付けた状態で形状パネルを掛止ピンから離脱可能に設けてある輪ゴムの成形器具セットを提供するものである。
【０００８】
また、本考案は、請求項１、２又は３に記載の輪ゴムの成形器具セットにおいて、成形用台座の一端部に嵌合孔に向かって起立した取っ手部分を設けてある輪ゴムの成形器具セットを提供するものである。
【０００９】
また、本考案は、請求項１乃至４のいずれかに記載の輪ゴムの成形器具セットにおいて、掛止ピンに平面部分を有する転がり止部を設けてある輪ゴムの成形器具セットを提供するものである。
【００１０】
また、本考案は、請求項５に記載の輪ゴムの成形器具セットにおいて、掛止ピンの転がり止め部が角形頭部からなる輪ゴムの成形器具セットを提供するものである。
【考案の効果】
【００１１】
本考案に係る輪ゴムの成形器具セットによれば、請求項１に記載の通り、輪ゴムを掛け渡して熱湯で加熱し当該輪ゴムに形状を与える複数の耐熱性の掛止ピンと、前記掛止ピンを着脱可能に嵌合すべき多数の嵌合穴を有し前記掛止ピンと共に熱湯に浸して加熱可能な耐熱性の成形用台座と、前記成形用台座に植え付けた前記掛止ピンに掛け渡して熱湯に浸して加熱して成形可能な前記輪ゴムとからなる構成を有することにより、成形用台座の嵌合孔に成形しようとする輪ゴムの形状に合わせて複数の掛止ピンを植え付け、掛止ピンに輪ゴムを所望の形状に掛け渡してセットし、成型用台座を掛止ピンが浸せるだけの十分な大きさと深さのある容器に入れて、容器に十分な量の水を入れて沸騰するまで加熱し、加熱完了後に台座を取り出して輪ゴムをピンから外すと所望の形状の輪ゴムが完成するから、自分で気に入った形の輪ゴムを家庭で自由に作ることができ、楽しく便利であり、子供に限らず大人も含めて自分で形を工夫して輪ゴムを成形することができ、家族や友人達で楽しみながら豊かな創造性を養うこともできる効果がある。
【００１２】
また、本考案は、請求項１に記載の輪ゴムの成形器具セットにおいて、成形しようとする輪ゴムの形状に合わせて成形用台座に複数の掛止ピンの植え付け位置を指示する指示手段を有する構成を有することにより、指示手段に従って掛止ピンを植え付けて成形しようとする形の輪ゴムを容易に成形することができる効果がある。
【００１３】
また、本考案は、請求項２に記載の輪ゴムの成形器具セットにおいて、指示手段が成形しようとする輪ゴムの形状が描いてある形状パネルからなり、前記形状パネルには輪ゴムの形状に沿って複数の掛止ピンの植え付け位置を指示するピン孔が設けてあり、且つ、ピン孔を貫通して掛止ピンを成形用台座に植え付けた状態で形状パネルを掛止ピンから離脱可能に設けてある構成を有することにより、成型用台座上に希望する輪ゴムの形状の形状パネルを置いて掛止ピンをピン孔に刺すことによって、嵌合穴に掛止ピンを植え付けることができると共に、植え付け後に形状パネルを外してから、掛止ピンに輪ゴムを掛け渡して、希望する輪ゴムの形状をセットすることができる効果がある。
【００１４】
また、本考案は、請求項１、２又は３に記載の輪ゴムの成形器具セットにおいて、成形用台座の一端部に嵌合孔に向かって起立した取っ手部分を設けてある構成を有することにより、熱湯から成形用台座を簡単に取り出すことができる効果がある。
【００１５】
また、本考案は、請求項１乃至４のいずれかに記載の輪ゴムの成形器具セットにおいて、掛止ピンに平面部分を有する転がり止部を設けてある構成を有することにより、転がらずに摘みやすいなど、掛止ピンの取り扱いを容易にする効果がある。
【００１６】
また、本考案は、請求項５に記載の輪ゴムの成形器具セットにおいて、掛止ピンの転がり止め部が角形頭部からなる構成を有することにより、転がらなくて摘みやすいなどの他に、成形時に掛止ピンに掛け渡したゴム輪が外れ難い効果があり、複数の輪ゴムを重ねて掛け渡して一度に成形すことができる効果がある。
【図面の簡単な説明】
【００１７】
【図１】図１は本考案の一実施例の一使用態様を示す斜面図。
【図２】図２は他の使用態様を示す平面図。
【考案を実施するための形態】
【００１８】
以下図示する実施例により本考案を説明する。
【実施例１】
【００１９】
図１において、１は輪ゴム２を任意の形状に形成するための板状の成形用台座で、台座１の表面には掛止ピン３を嵌合して起立状態を保って植え付けることができるように多数の嵌合穴４が設けてある。掛止ピン３は、指先で持って嵌合穴４に着脱できるように適宜な長さの細長い円柱状をなし、嵌合穴４には摩擦抵抗を伴って弾性的に嵌合する。嵌合穴４の深さは掛止ピン３の直径の１．５〜２倍程度が好ましい。成形台座１及び掛止ピン３は沸騰した熱湯に長時間浸けても変形しない耐熱性を有すると共に、熱湯から出して直ちに冷水に浸けても変形しない合成樹脂からなる。
【００２０】
図では省略したが、成形用台座１の嵌合穴４に成形しようとする輪ゴム２の形状に合わせて複数の掛止ピン３を植え付け、掛止ピン３に輪ゴムを所望の形状に掛け渡してセットし、成型用台座１を掛止ピン３が浸せるだけの十分な大きさと深さのある容器に入れ、容器に十分な量の水を入れて家庭用のヒーターや電子レンジ等で沸騰するまで加熱し、加熱完了後に１０分間ほど放置して冷却してから台座１を取り出して、輪ゴム２を掛止ピン３から取り外すと、所望の形状の輪ゴム２が形成されることとなる。
なお、前記容器としてはお鍋を使用することができ、お鍋で台座１を煮沸してから１０分間ほど放置し、冷却してから台座１を取り出して輪ゴム２を掛止ピン３から取り外しても良い。
輪ゴム２としては熱可塑性により加熱して変形し、熱湯から取り出して冷却することにより弾力性を失わずにその形状のまま固化するシリコンゴム製の輪ゴムが好ましい。
【実施例２】
【００２１】
掛止ピン３には円形断面の脚部より外径の大きい四角形状の頭部３ａが設けてあり、成型用台座１への取り外しを容易にすると共に、頭部３ａ側面の平面形状部は取り外して横たえて置いたときの転がりを防止する転がり防止部を構成している。
【実施例３】
【００２２】
また、本考案の一実施例は、前記輪ゴムの成形器具セットにおいて、成形しようとする輪ゴム２の形状に合わせて成形用台座１に複数の掛止ピン３の植え付け位置を指示する指示手段を有する。
図１の掛止ピン３の植え付け位置は輪ゴム２にロケット若しくは航空機の形状を付与するものであるが、これら掛止ピン３を植え付けた嵌合穴４にのみ他の嵌合穴とは異なる色を施してあり、この形状を輪ゴムに与える掛止ピン３の植え付け位置を指示する指示手段を構成している。
この嵌合穴４の色分け手段によって複数個の輪ゴムの形状を指示することができる。
【実施例４】
【００２３】
図２に記載の指示手段は、成形しようとする輪ゴム２の形状が描いてある形状パネル５からなり、前記形状パネル５には輪ゴムの形状を現した図形６に沿って複数の掛止ピン３の植え付け位置を指示するピン孔７が設けてある。ピン孔７は掛止ピン３が通り抜けることができる大きさに設けてある。
この形状パネル５を成型用台座１の表面に重ねて、それぞれのピン孔７を貫通して掛止ピン３を成形用台座１の嵌合穴４に植え付け、植え付けた状態で形状パネル５を、各ピン孔７を掛止ピン３から抜き出すことによって、離脱することができ、形状パネル５を離脱することによって成型用台座１上に希望する輪ゴムの形状に掛止ピン３の植え付けが完了する。掛止ピン３に輪ゴム２を掛け渡して、図１に記載のように、輪ゴム２を希望の形状に簡単にセットすることができる。従って、本考案の輪ゴムの成形器具セットに種々の図形６を備えた形状パネル５を多数加えることができる。
【実施例５】
【００２４】
また、本考案の一実施例では、図１に記載のように、成形用台座１の一端部に嵌合孔４を設けた表面に向かって起立した取っ手部分８を設けてある。取っ手部分８を設けることによって、熱湯から成形用台座１を簡単に取り出すことができる効果がある。取っ手部分８の起立角度は嵌合穴４のある表面から９０〜１５０度であることが好ましい。また、図１に記載のように、持ち上げやすくするために取っ手部分８の中央に空洞部又は凹部８ａを設けることも可能である。
【符号の説明】
【００２５】
１      成型用台座
２      輪ゴム
３      掛止ピン
４      嵌合穴
５      形状パネル
６      図形
７      ピン孔
８      取っ手部分
【図１】
0003171125.tif 000003
【図２】
0003171125.tif 000004